(57)【要約】【課題】結婚指輪購入者に対して、妊娠中及び出産後において、同じデザインの結婚指輪を継続して確実に使用できるようにした結婚指輪の販売方法を提供する。【解決手段】妊娠中のユーザに対して結婚指輪を販売する結婚指輪販売方法であって、結婚指輪の注文を受け、少なくともデザイン及び素材を含む受注情報を受発注システムに登録する手順と、妊娠中のユーザに対して、妊娠中指サイズを測って前記デザインと同様のデザインで結婚指輪より指サイズが大きい仮結婚指輪を製作する手順と、完成した仮結婚指輪をユーザへ提供する手順と、出産後の前記ユーザに対して、前記受発注システムで受注情報を照会するとともに、出産後指サイズを測って前記結婚指輪の製作を開始する手順と、完成した結婚指輪をユーザへ提供する手順と、を備える。【選択図】図１
2018159982.tif 000002
【特許請求の範囲】
【請求項１】
妊娠中のユーザに対して結婚指輪を販売する結婚指輪販売方法であって、
結婚指輪の注文を受け、少なくともデザイン及び素材を含む受注情報を受発注システムに登録する手順と、
妊娠中のユーザに対して、妊娠中指サイズを測って前記デザインと同様のデザインで結婚指輪より指サイズが大きい仮結婚指輪を製作する手順と、
完成した仮結婚指輪をユーザへ提供する手順と、
出産後の前記ユーザに対して、前記受発注システムで受注情報を照会するとともに、出産後指サイズを測って前記結婚指輪の製作を開始する手順と、
完成した結婚指輪をユーザへ提供する手順と、
を備えたことを特徴とする結婚指輪の販売方法。
【請求項２】
前記仮結婚指輪は、妊娠中に注文した旨を意味する表示がリング内側に刻印されたものである請求項１に記載の結婚指輪の販売方法。
【請求項３】
前記表示は、妊娠中に結婚指輪を注文し仮結婚指輪が提供されるサービス名を文字で表示する請求項２に記載の結婚指輪の販売方法。
【請求項４】
前記仮結婚指輪は、銀、真鍮または銅の何れか一つの素材で製作する請求項１に記載の結婚指輪の販売方法。
【請求項５】
妊娠中のユーザに対して結婚指輪を販売するに際し、前記ユーザの妊娠中指サイズを測って製作された仮結婚指輪を提供する手順と、前記ユーザの出産後指サイズを測って製作された結婚指輪を提供する手順と、を含む結婚指輪販売方法を実施する結婚指輪の販売システムであって、
妊娠中のユーザからの結婚指輪の注文を受け、少なくともデザイン及び素材を含む受注情報を登録する受注情報管理部と、
前記妊娠中指サイズ及び前記出産後指サイズを管理する指サイズ管理部と、
前記デザインと同様のデザインで前記妊娠中指サイズの仮結婚指輪の製作を許可する仮結婚指輪製作許可部と、
前記デザイン及び前記素材で前記出産後指サイズの結婚指輪の製作を許可する結婚指輪製作許可部と、
を備えたことを特徴とする結婚指輪の販売システム。
【請求項６】
受注情報管理部は、妊娠中のユーザによる結婚指輪の注文日又は仮結婚指輪の提供日又はユーザによる希望日のいずれか一つ以上の受注情報を含む請求項５に記載の結婚指輪の販売システム。
【請求項７】
前記指サイズ管理部は、前記出産後指サイズの出産後指サイズ測定日を管理するとともに、
前記受注情報管理部は、前記ユーザの出産予定日または出産日の情報を含む請求項５に記載の結婚指輪の販売システム。
【請求項８】
前記結婚指輪製作許可部は、前記出産後指サイズ測定日が前記出産予定日または出産日より予め設定された期間が経過していないと結婚指輪の製作を許可しない請求項７に記載の結婚指輪の販売システム。
【発明の詳細な説明】
【技術分野】
【０００１】
本発明は、結婚指輪の販売方法及び販売システムに係り、特に、妊婦の購入者に対して、妊娠期間中及び出産後において、同じデザインの結婚指輪を継続して使用できるようにする結婚指輪の販売方法及び販売システムに関する。
【背景技術】
【０００２】
ブライダルリング専門店において提供される結婚指輪は、購入時の指のサイズに合わせてプラチナなど比較的高価な貴金属地金のものを提供するのが一般的である。
【０００３】
一方、妊娠後に結婚を決める「授かり婚」と呼ばれる形態においては、妊娠後に結婚指輪を購入したいとする需要が近年増加する傾向にある。
【０００４】
また、特許文献１には、指輪の内径を変化させる構造について記載されている。
【先行技術文献】
【特許文献】
【０００５】
【特許文献１】特開２０１０−２２６９８号公報
【発明の概要】
【発明が解決しようとする課題】
【０００６】
しかしながら、妊娠中においては、妊娠症状（浮腫み）により指のサイズが太くなることが知られている。したがって、「授かり婚」で妊娠中の指の太さに合わせたサイズで結婚指輪を製作した場合、出産後において、結婚指輪が大きすぎて装着に適さないという現象が生じていた。
【０００７】
そのような場合、別途料金、または、ブランド保証の使用でのサイズ調整や交換が必要となる。また、結婚指輪のデザイン如何によっては、プラスマイナス２号ほどのサイズ調整しか行うことができない場合があった。
【０００８】
また、特許文献１に記載された指輪の構造は、装着及び取り外しに時間がかからないことを目的とするものであり、妊娠中の指の浮腫みに対応するようなものではない。
【０００９】
本発明は上記実情に鑑みて提案されたもので、主に妊婦の結婚指輪購入者に対して、妊娠中及び出産後において、同じデザインの結婚指輪を継続して確実に使用できるようにした結婚指輪の販売方法及び販売システムを提供することを目的としている。
【課題を解決するための手段】
【００１０】
上記目的を達成するために、本発明の請求項１は、妊娠中のユーザに対して結婚指輪を販売する結婚指輪販売方法であって、次の手順を含むことを特徴としている。
結婚指輪の注文を受け、少なくともデザイン及び素材を含む受注情報を受発注システムに登録する手順。
妊娠中のユーザに対して、妊娠中指サイズを測って前記デザインと同様のデザインで結婚指輪より指サイズが大きい仮結婚指輪を製作する手順。
完成した仮結婚指輪をユーザへ提供する手順。
出産後の前記ユーザに対して、前記受発注システムで受注情報を照会するとともに、出産後指サイズを測って前記結婚指輪の製作を開始する手順。
完成した結婚指輪をユーザへ提供する手順。
【００１１】
請求項２は、請求項１の結婚指輪販売方法において、
前記仮結婚指輪は、妊娠中に注文した旨を意味する表示がリング内側に刻印されたものであることを特徴としている。
【００１２】
請求項３は、請求項２の結婚指輪販売方法において、
前記表示は、妊娠中に結婚指輪を注文し仮結婚指輪が提供されるサービス名を文字で表示することを特徴としている。
【００１３】
請求項４は、請求項１の結婚指輪の販売方法において、
前記仮結婚指輪は、銀、真鍮または銅の何れか一つの素材で製作することを特徴としている。
【００１４】
請求項５は、妊娠中のユーザに対して結婚指輪を販売するに際し、前記ユーザの妊娠中指サイズを測って製作された仮結婚指輪を提供する手順と、前記ユーザの出産後指サイズを測って製作された結婚指輪を提供する手順と、を含む結婚指輪販売方法を実施する結婚指輪の販売システムであって、次の構成を含むことを特徴としている。
妊娠中のユーザからの結婚指輪の注文を受け、少なくともデザイン及び素材を含む受注情報を登録する受注情報管理部。
前記妊娠中指サイズ及び前記出産後指サイズを管理する指サイズ管理部。
前記デザインと同様のデザインで前記妊娠中指サイズの仮結婚指輪の製作を許可する仮結婚指輪製作許可部。
前記デザイン及び前記素材で前記出産後指サイズの結婚指輪の製作を許可する結婚指輪製作許可部。
【００１５】
請求項６は、請求項５の結婚指輪の販売システムにおいて、
受注情報管理部は、妊娠中のユーザによる結婚指輪の注文日又は仮結婚指輪の提供日又はユーザによる希望日のいずれか一つ以上の受注情報を含むことを特徴としている。
【００１６】
請求項７は、請求項５の結婚指輪の販売システムにおいて、
前記指サイズ管理部は、前記出産後指サイズの出産後指サイズ測定日を管理するとともに、
前記受注情報管理部は、前記ユーザの出産予定日または出産日の情報を含むことを特徴としている。
【００１７】
請求項８は、請求項７の結婚指輪の販売システムにおいて、
前記結婚指輪製作許可部は、前記出産後指サイズ測定日が前記出産予定日または出産日より予め設定された期間が経過していないと結婚指輪の製作を許可しないことを特徴としている。
【発明の効果】
【００１８】
本発明の結婚指輪の販売システムによれば、妊娠中のユーザに結婚指輪を販売するに際して、結婚指輪と同じデザインを有し、比較的安価な材質で形成された妊娠中指サイズの仮結婚指輪を妊娠中のユーザに提供し、出産後の体調が安定した時期の出産後指サイズを測定して、本来の貴金属地金の結婚指輪を提供することにより、妊娠症状による指のサイズに変動が生じても、同じデザインの指輪を妊娠中及び出産の前後で使用することができる。
【００１９】
本発明の結婚指輪の販売システムでは、出産後指サイズの測定日が出産予定日または出産日より予め設定された期間が経過していないと結婚指輪の製作が許可されないようにすることで、出産後の体調が安定した時期に測定した指サイズの結婚指輪を確実に製作することができる。
【００２０】
また、仮結婚指輪のリング内側に、妊娠中に注文した旨を意味する表示が刻印されることで、妊娠中に使用していた仮結婚指輪であることを明確にすることができる。
【図面の簡単な説明】
【００２１】
【図１】本発明の一実施形態に係る結婚指輪の販売方法を実現するシステムの構成を示した機能ブロック図である。
【図２】結婚指輪のデザイン例を示すもので、（ａ）は平面説明図、（ｂ）は正面説明図である。
【図３】結婚指輪のデザイン例を示すもので、（ａ）は平面説明図、（ｂ）は正面説明図である。
【図４】仮結婚指輪の外観形状を示す斜視説明図である。
【図５】本発明の結婚指輪の販売方法における指輪製作許可の手順を示したフローチャートである。
【発明を実施するための形態】
【００２２】
本発明は、結婚指輪販売システム（仮結婚指輪及び結婚指輪のペアでの提供）に関し、特に妊婦のユーザで、妊娠症状により指のサイズが変動することから購入を控えている人に、妊娠期間中及び出産後指サイズの変動に対応するために、妊娠中においては銀で製作した仮結婚指輪を提供し、出産後の体調が安定した時期にプラチナなどの貴金属地金の結婚指輪を改めて製作して提供するものである。
【００２３】
以下、図面を参照して本発明の実施の形態について詳細に説明する。
図１は、本発明の一実施形態に係る結婚指輪の販売方法を実現する結婚指輪販売システムの構成を示した機能ブロック図である。
結婚指輪販売システム１は、妊娠中のユーザに対して結婚指輪を販売するシステムであり、受注情報管理部１０と、指サイズ管理部２０と、仮結婚指輪製作許可部３０と、結婚指輪製作許可部４０と、指輪製作の可否を表示する表示部５０と、各部との間で情報の受渡を行って処理を実行する制御部６０を備えて構成されている。
【００２４】
受注情報管理部１０は、妊娠中のユーザからの結婚指輪の注文を受け、指輪のデザイン、指輪の素材、注文日を含む受注情報を登録して管理する。販売日時（妊娠中のユーザによる結婚指輪の注文日又は仮結婚指輪の提供日）や顧客情報（氏名、住所、連絡先など）なども同時に管理する。また、登録しておく日時として、例えば、ユーザが選択した何かの記念日等を登録しておいてもよい。また、受注情報管理部１０は、ユーザの出産予定日または出産日の情報を含むようにしてもよい。
【００２５】
指輪のデザインは、複数のデザインが選択可能となっており、結婚指輪販売システムに対応可能なデザインの中から、ユーザが好みと予算に応じて選択する。
図２及び図３に結婚指輪２のデザイン例を示す。仮結婚指輪についても同様のデザインとなる。図２の結婚指輪（仮結婚指輪）のデザインは、一般的な環状デザインを採用している。図３結婚指輪（仮結婚指輪）のデザインは、捻りを加えたデザインを採用している。  
【００２６】
指サイズ管理部２０へは、妊娠中指サイズと妊娠中指サイズ測定日、及び、出産後指サイズと出産後指サイズ測定日の受注情報が入力され、これらの情報が管理される。
【００２７】
仮結婚指輪製作許可部３０は、指輪サイズ管理部２０で管理されている受注情報（妊娠中指サイズ、妊娠中指サイズ測定日）を考慮し、ユーザが選択し受注情報管理部１０で管理されているデザイン（仮結婚指輪と同じデザイン）で妊娠中指サイズの仮結婚指輪の製作を許可するか否かの判断を行う。仮結婚指輪製作許可部３０で仮結婚指輪の製作許可がなされた場合、表示部５０において、「仮結婚指輪製作可」が表示される。この表示を受け、銀の仮結婚指輪の製作を行う。銀に代えて、真鍮または銅で製作してもよい。要は、妊娠中の短期間しか装着しないので、結婚指輪の材料（貴金属地金）に比較して安価な材料を使用して製作する。
【００２８】
結婚指輪製作許可部４０は、指輪サイズ管理部２０で管理されている受注情報（出産後指サイズ、出産後指サイズ測定日、妊娠中指サイズ測定日）を考慮し、ユーザが選択し受注情報管理部１０で管理されているデザイン（仮結婚指輪と同じデザイン）及び素材で出産後指サイズの結婚指輪の製作を許可するか否かの判断を行う。
【００２９】
結婚指輪製作許可部４０で結婚指輪の製作許可がなされた場合、表示部５０において、「結婚指輪製作許可」が表示される。この表示を受け、受注情報管理部１０に登録されているユーザが希望する素材で結婚指輪の製作を行う。
結婚指輪製作許可部４０で結婚指輪の製作許可がされない場合、表示部５０において、「結婚指輪製作不許可」が表示される。
【００３０】
上述した結婚指輪販売システムは、汎用のコンピュータ上に構築しても良いし、専用の単能機で構築しても良い。
【００３１】
また、複数の結婚指輪販売システムをネットワークで接続し、各系列店に配置されたシステムが各情報を共有することにより、仮婚約指輪の購入店のみならず系列店において、仮婚約指輪と同じ結婚指輪を製作することができる。
【００３２】
次に、上述した結婚指輪販売システムを利用した販売方法の流れについて説明する。
先ず、店舗に来店した妊娠中のユーザが、本システム対応ブランドの中から好みのデザイン・素材の結婚指輪を選択する。この時、妊娠中のユーザの妊娠中指サイズを測定する。指サイズの測定は、例えば、指の一番太い部分（第２関節あたり）に糸などを巻きつけることにより行う。
妊娠中指サイズ及び妊娠中指サイズ測定日は、受注情報として指サイズ管理部２０に登録される。また、受注情報管理部１０に受注情報として出産予定日を登録しておいてよい。
【００３３】
店舗では、ユーザが選択したデザイン・素材（貴金属地金）の結婚指輪での受注を行うともに、併せて銀製で同等デザインの仮結婚指輪の受注を行う。
ユーザが出産後に結婚指輪（貴金属地金）を製作する際に必要な引換カードを発行する。引換カードには、ＩＤが付与された所定有効期限の引き換えカードを提供する。
受注情報は、本社及び店舗での照会が可能なクラウド上の受発注管理システムへＩＤとともに記録される。
【００３４】
店舗では、コンピュータ上に構築された結婚指輪販売システムにより、受注情報を元に仮結婚指輪の製作を開始するかどうかの判断を行う。仮結婚指輪の製作を許可する表示が表示部で行われた場合は、仮結婚指輪の製作を自社または外部に発注して行う。
【００３５】
製作された仮結婚指輪３は、図４に示すように、その内側には、システム名（妊娠中に注文した旨を意味する表示４：例えば「授かり婚」を想定させる「授かリング」の文字）と、妊娠中のユーザによる結婚指輪の注文日５（または仮結婚指輪の提供日）がレーザー刻印機によって刻印される。注文日や提供日の他に、ユーザが希望する記念日等であってもよい。なお、「授かリング」は、妊娠中に結婚指輪を注文し仮結婚指輪が提供されるサービス名として、店舗において使用する名称となっている。
【００３６】
また、妊娠中に結婚指輪を注文し仮結婚指輪が提供されるサービス名（本例の場合は「授かリング」）に代えて、妊娠中に注文した旨を意味する表示、例えば「授かり婚」、「妊娠中」、「出産予定日〇月〇日です」等の文字をリング内側に刻印してもよい。
【００３７】
製作された仮結婚指輪３をユーザへ提供する。
仮結婚指輪３は、妊娠中に注文した旨を意味する表示（サービス名）４がリング内側に刻印されることで、正式な結婚指輪を製作後に指から外した後においても、記念品として所有することができる。
【００３８】
出産後に店舗に来店したユーザが受注時に提供されたカードを提示することで、ＩＤを元に受発注システムで受注情報を照会し、結婚指輪の受注情報をユーザが確認し、ユーザの出産後指サイズを測定する。出産後指サイズ、出産後指サイズ測定日、出産日は、受注情報として受注情報管理部１０に登録される。
店舗では、コンピュータ上に構築された結婚指輪販売システムにより、受注情報を元に結婚指輪の製作を開始するかどうかの判断を行う。結婚指輪の製作を許可する表示が表示部で行われた場合は、受注情報によるデザイン及び素材の結婚指輪の製作を自社または外部に発注して行う。
製作された結婚指輪をユーザへ提供する。
製作された結婚指輪は、出産後の安定した時期の指サイズで製作されているので、大きすぎることはがなく、何ら不都合なことなく使用することができる。
【００３９】
次に、上述した結婚指輪販売システムを利用した販売方法において、仮結婚指輪または結婚指輪の製作を許可する手順について、図５のフローチャートを参照して説明する。
【００４０】
この手順は、結婚指輪販売システムに対して、「指輪製作問合せ」を実行することで処理が開始される（Ｓ１）。
「指輪製作問合せ」の要求は、結婚指輪販売システムが構築されているコンピュータに対して、所望のスイッチの押下や画面上の表示のクリック等で行われる。
【００４１】
「指輪製作問合せ」の要求がなされると、受注情報管理部１０または指サイズ管理部２０に受注情報としての妊娠中指サイズ、出産後指サイズ、出産後指サイズ測定日、出産日が登録されている場合、それらのデータの読み込みを行う（Ｓ２）。
次に、受注情報としての妊娠中指サイズのデータの有無を判断する（Ｓ３）。
ステップＳ３において、妊娠中指サイズのデータが有の場合、受注情報としての出産後指サイズのデータの有無を判断する（Ｓ４）。
【００４２】
ステップＳ４において、出産後指サイズのデータが無の場合、妊娠中指サイズの仮結婚指輪の製作を許可し（Ｓ５）、表示部において「仮結婚指輪製作許可」の表示がなされる（Ｓ６）。
【００４３】
ステップＳ４において、出産後指サイズのデータが有の場合、ステップＳ１で読み込まれた「出産後指サイズ測定日」と「出産日」とを比較し（Ｓ７）、「出産後指サイズ測定日」が「出産日」から予め設定された日数が経過していれば、出産後指サイズの結婚指輪の製作を許可し（Ｓ８）、表示部において「結婚指輪製作許可」の表示がなされる（Ｓ６）。
予め設定された日数は、出産後に体調が安定する（指の浮腫みがとれて通常サイズに戻る日数であり、例えば１００日（３か月〜４か月）程度が好ましい。また、この日数は、注文時等に、ユーザとの間で相談して決めておいてもよい。
【００４４】
ステップＳ７において「出産後指サイズ測定日」が「出産日」から予め設定された日数が経過していない場合は、指輪（結婚指輪）製作を不許可とし（Ｓ９）、表示部において「指輪製作不許可」の表示がなされる（Ｓ６）。「出産後指サイズ測定日」が「出産日」から予め設定された日数が経過していない場合に、結婚指輪の製作を不許可にしたのは、出産後において指のサイズがまだ安定していない可能性がある（変動する可能性有）と判断したためである。
結婚指輪製作の許可の可否は、「出産後指サイズの測定日」が「出産日」より予め設定された期間が経過の有無で判断したが、「出産日」に代えて「出産予定日」としても良い。
【００４５】
また、ステップＳ３において妊娠中指サイズのデータが無の場合についても、指輪（仮結婚指輪）製作を不許可とし（Ｓ９）、表示部において「指輪製作不許可」の表示がなされる（Ｓ６）。仮結婚指輪製作のためのデータ（妊娠中指サイズ）が存在しない（測定前）ためである。
【００４６】
上述した結婚指輪販売方法によれば、妊娠中のユーザに結婚指輪を販売するに際して、結婚指輪と同じデザインを有し、比較的安価な銀で形成された妊娠中指サイズで製作した仮結婚指輪を妊娠中のユーザに提供し、出産後の体調が安定した時期に出産後指サイズを測定して、本来の貴金属地金の出産後指サイズの結婚指輪を提供することにより、妊娠症状による指のサイズに変動が生じても、同じデザインの指輪を妊娠中及び出産の前後及び将来にわたって使用することができる。
【符号の説明】
【００４７】
１…結婚指輪販売システム、  ２…結婚指輪、  ３…表示、  ４…注文日（提供日）、  １０…受注情報管理部、  ２０…指サイズ管理部、  ３０…仮結婚指輪製作許可部、  ４０…結婚指輪製作許可部、  ５０…表示部、  ６０…制御部。
【図１】
2018159982.tif 000003
【図２】
2018159982.tif 000004
【図３】
2018159982.tif 000005
【図４】
2018159982.tif 000006
【図５】
2018159982.tif 000007